(57)【特許請求の範囲】
【請求項１】
下部に一対の切り裂き用ミシン目が形成された吊下板の下端縁に、下面板、前面板、上面板、背面板および糊代が順に折り目を介して連設され，上記背面板には、糊代との折り目を始点とする１個もしくは複数個の円筒状商品の開口部が形成されるとともに、該開口部の上端縁に沿って折り目が形成され、また、上記前面板の上部および下部にそれぞれ下部開口部および上部開口部が背面板の開口部に対応して形成されるとともに、下部開口部の下端縁および上部開口部の上端縁に沿ってそれぞれ折り目が形成されてなり、上記上面板および背面板をそれぞれ前面板および上面板に対して折り目に沿って折り込み、糊代を前面板の上下開口部間に貼着するともに、下面板および吊下板をそれぞれ前面板および下面板に対して折り目に沿って折り込み、吊下板の上方の切裂用ミシン目を背面板の折り目に沿わせて吊下板を背面板に貼着することにより、背面板の開口部を通して長手方向を上下方向に向けて挿入された円筒状商品が該背面板の開口部に保持されるとともに、前面板、背面板、下面板および上面板によって包囲され、かつ、前面板の上下開口部を通して一部露出されることを特徴とする包装体。
【請求項２】
上記吊下板の上端部近傍にハンガー用穴が形成されていることを特徴とする請求の範囲第１項記載の包装体。
【請求項３】
上記吊下板の上端縁に補強板が折り目を介して連設され、該補強板に吊下板との折り目に関して吊下板のハンガー用穴と上下対称なハンガー用穴が形成されていることを特徴とする請求の範囲第２項記載の包装体。
【請求項４】
前吊下板の下端縁に、上面板、前面板、下面板および下背面板が順に折り目を介して連設されるとともに、前吊下板の上端縁に、上背面板を連続して有する後吊下板および糊代が順に折り目を介して連設され、上記下背面板の略中間部に一対の切裂用ミシン目が形成されるとともに、下端縁の左右両端部に係止片が形成され、また、上記上背面板に糊代との折り目を始点とする１個もしくは複数個の円筒状商品の開口部が形成され、該開口部の下端縁に沿って折り目が形成されるとともに、下背面板の係止片に対応して切欠部が形成され、さらに、上記前面板の上部および下部にそれぞれ上部開口部および下部開口部が背面板の開口部に対応して形成されるとともに、上部開口部の下端縁および下部開口部の上端縁に沿ってそれぞれ折り目が形成されてなり、上記後吊下板および糊代をそれぞれ前吊下板および上背面板に対して折り目に沿って折り込み、後吊下板を前吊下板に貼着するとともに、糊代を前面板の上下開口部間に貼着し、さらに、下面板および下背面板をそれぞれ前面板および下面板に対して折り目に沿って折り込み、下背面板の係止片を上背面板の切欠部に係止させるとともに、下背面板を上背面板に貼着することにより、上背面板の開口部を通して長手方向を上下方向に向けて挿入された円筒状商品が該背面板の開口部に保持されるとともに、前面板、上下背面板、下面板および上面板によって包囲され、かつ、前面板の上下開口部を通して一部露出されることを特徴とする包装体。
【請求項５】
上記前吊下板の上端部近傍にハンガー用穴が形成されるとともに、後吊下板に前吊下板との折り目に関して前吊下板のハンガー用穴と上下対称なハンガー用穴が形成されていることを特徴とする請求の範囲第４項記載の包装体。
【発明の詳細な説明】
技術分野
本発明は、包装体に関し、特に、乾電池などの円筒状商品の包装体に関する。
背景技術
乾電池などの円筒状商品の包装体として、従来においては、実開平３−３５９６４号公報に開示されるように、ブリスターパックタイプ（第８図参照）、あるいはシュリンクパックタイプ（第９図参照）が用いられている。
ブリスターパックタイプの包装体は、表面に予めビニル加工を施し、上部にハンガー用穴１００ａを開けた台紙１００の表面の下半分に複数個の乾電池Ｂを並べて載せ、これらの乾電池Ｂの全体を覆う大きさの箱状のプラスチックフィルム１１０の周囲の裾（斜線部分）を台紙１００の表面に熱圧着することにより形成されている。
一方、シュリンクパックタイプの包装体は、台紙１００の表面に複数個の乾電池Ｂを並べて載せ、これらの乾電池Ｂの全体を台紙１００とともに一対の凹部１００ｂにかかるようにシュリンクフィルム１２０で覆い、これを加熱収縮させることにより形成されている。
前述した従来技術においては、いずれのタイプの包装体も、プラスチックフィルムが台紙に密着しているため、フィルムを台紙から分離することが困難であり、このため、分別収集されないまま廃棄されている。この結果、台紙を再利用することができないばかりか、廃棄物処理に伴って環境汚染を招来するという問題があった。
本発明は、このような問題を解決するためになされたもので、包装対象の円筒状商品を離脱することなく確実に保持することができるとともに、陳列された状態で商品を認識することができ、かつ、資源の再利用が容易な包装体を提供するものである。
発明の開示
請求項１に記載された本発明の態様によれば、本発明の包装体は、下部に一対の切り裂き用ミシン目が形成された吊下板の下端縁に、下面板、前面板、上面板、背面板および糊代が順に折り目を介して連設され、上記背面板には、糊代との折り目を始点とする１個もしくは複数個の円筒状商品の開口部が形成されるとともに、該開口部の上端縁に沿って折り目が形成される。また、上記前面板の上部および下部にそれぞれ下部開口部および上部開口部が背面板の開口部に対応して形成されるとともに、下部開口部の下端縁および上部開口部の上端縁に沿ってそれぞれ折り目が形成されてなる。さらに、上記上面板および背面板をそれぞれ前面板および上面板に対して折り目に沿って折り込み、糊代を前面板の上下開口部間に貼着するともに、下面板および吊下板をそれぞれ前面板および下面板に対して折り目に沿って折り込み、吊下板の上方の切裂用ミシン目を背面板の折り目に沿わせて吊下板を背面板に貼着する。これらにより、背面板の開口部を通して長手方向を上下方向に向けて挿入された円筒状商品が該背面板の開口部に保持されるとともに、前面板、背面板、下面板および上面板によって包囲され、かつ、前面板の上下開口部を通して一部露出される。
以上の構成において、上記吊下板の上端部近傍にハンガー用穴が形成されていることが、ハンガーに懸吊して陳列する上で好ましい。さらに、上記吊下板の上端縁に補強板が折り目を介して連設され、該補強板に吊下板との折り目に関して吊下板のハンガー用穴と上下対称なハンガー用穴が形成されていることが、吊下板を補強しつつハンガーに懸吊して陳列する上で好ましい。
本構成の包装体によれば、背面板の開口部に挿入された円筒状商品は、背面板の開口部に保持されるとともに、吊下板、下面板、前面板、上面板によって包囲されるため、抜け出しを確実に防止して円筒状商品を包装することができる。また、円筒状商品の円筒面の一部は前面板の上下開口部を通して露出されることから、円筒状商品を確認することができる。さらに、包装体は一体物であるため、分別収集が容易になる。また、これを１枚の台紙で形成した場合、再生紙に利用することができる。仮に焼却するとしても、プラスチックのように焼却炉を傷めることがない他、環境汚染を引き起こすこともない。
また、請求項４に記載された本発明の態様によれば、本発明の包装体は、前吊下板の下端縁に、上面板、前面板、下面板および下背面板が順に折り目を介して連設されるとともに、前吊下板の上端縁に、上背面板を連続して有する後吊下板および糊代が順に折り目を介して連設され、上記下背面板の略中間部に一対の切裂用ミシン目が形成されるとともに、下端縁の左右両端部に係止片が形成される。また、上記上背面板に糊代との折り目を始点とする１個もしくは複数個の円筒状商品の開口部が形成され、該開口部の下端縁に沿って折り目が形成されるとともに、下背面板の係止片に対応して切欠部が形成される。さらに、上記前面板の上部および下部にそれぞれ上部開口部および下部開口部が背面板の開口部に対応して形成されるとともに、上部開口部の下端縁および下部開口部の上端縁に沿ってそれぞれ折り目が形成されてなり、上記後吊下板および糊代をそれぞれ前吊下板および上背面板に対して折り目に沿って折り込み、後吊下板を前吊下板に貼着するとともに、糊代を前面板の上下開口部間に貼着する。さらに、下面板および下背面板をそれぞれ前面板および下面板に対して折り目に沿って折り込み、下背面板の係止片を上背面板の切欠部に係止させるとともに、下背面板を上背面板に貼着する。これらにより、上背面板の開口部を通して長手方向を上下方向に向けて挿入された円筒状商品が該背面板の開口部に保持されるとともに、前面板、上下背面板、下面板および上面板によって包囲され、かつ、前面板の上下開口部を通して一部露出される。
上記構成において、上記前吊下板の上端部近傍にハンガー用穴が形成されるとともに、後吊下板に前吊下板との折り目に関して前吊下板のハンガー用穴と上下対称なハンガー用穴が形成されていることが、ハンガーに懸吊して陳列する上で好ましい。
本構成の包装体によれば、上背面板の開口部に挿入された円筒状商品は、上背面板の開口部に保持されるとともに、上下背面板、下面板、前面板、上面板によって包囲されるため、抜け出しを確実に防止して円筒状商品を包装することができる。また、円筒状商品の円筒面の一部は前面板の上下開口部を通して露出されることから、円筒状商品を確認することができる。さらに、人手を介して包装体を組み立てる場合、下背面板の係止片を上背面板の切欠部に係止させることにより、上背面板に対して下背面板を容易に位置決めして両者を貼着することができる。さらに、包装体は一体物であるため、分別収集が容易になる。また、これを１枚の台紙で形成した場合、再生紙に利用することができる。仮に焼却するとしても、プラスチックのように焼却炉を傷めることがない他、環境汚染を引き起こすこともない。
発明を実施するための最良の形態
以下、本発明の包装体の好適な実施形態を図面に基づいて説明する。
第１図には、本発明の包装体１の実施形態が示されている。
この包装体１は、台紙を第２図に示す展開図にしたがって打ち抜いた後、折り目に沿って折り込むとともに、複数本の円筒状商品、具体的には、２本ずつ計４本の単３形乾電池（以下、乾電池という。）Ｂをその長手方向を上下方向に向けて左右に並べ、所定部分を貼着することでその周囲を包装するものであり、乾電池Ｂの円筒面の一部を露出させて中身を確認できるようにハンガーＨに吊り下げられて陳列される。
この包装体１は、第２図に示す展開図において、上端部近傍にハンガー用穴２ａが形成された吊下板２の下端縁に、下面板３、前面板４、上面板５、背面板６および糊代７が順に折り目ａ，ｂ，ｃ，ｄ，ｅを介して連設されるとともに、吊下板２の上端縁に折り目ｆを介して補強板８が連設されて形成されている。
吊下板２の下端部近傍には、設定間隔をおいて一対の切裂用ミシン目ｇ１，ｇ２が下面板３との折り目ａと平行に形成されており、後述するように、包装体１を組み立てた後、これら一対の切裂用ミシン目ｇ１，ｇ２に沿って切り裂くことにより、吊下板２を上下に分離して包装体１から乾電池Ｂを取り出すことができる。
なお、補強板８の上端部近傍には、折り目ｆに関して吊下板２のハンガー用穴２ａと上下対称形のハンガー用穴８ａが形成されている。
前面板４の上部および下半部には、前面板４の左右方向中心線に関して左右対称な下方開口部４ａおよび上方開口部４ｂがそれぞれ形成されている。これらの各下方開口部４ａおよび各上方開口部４ｂは、略同幅であり、かつ、その左右方向中心線は、同一線上に位置している。そして、前面板４の各下方開口部４ａは、下面板３との折り目ｂを始点として下方に向けて前面板４の高さの略１／４の高さを有するように形成され、各上方開口部４ｂは、上面板５との折り目ｃの近傍を始点として上方に向けて前面板４の高さの略１／２の高さを有するように形成されている。
ここで、各下方開口部４ａおよび各上方開口部４ｂの左右端縁間の間隔は、２本の乾電池Ｂの直径の和よりも若干小さく設定されている。
また、前面板４の下方開口部４ａは、下面板３に連続する略三日月状の下フラップ４１を有するように形成され、上方開口部４ｂは、その下端縁に連続する略三日月状の上フラップ４２を有するように形成されている。これらの上下対向する下フラップ４１および上フラップ４２は、包装体１の組立時、それぞれ下面板３および前面板４から庇状に突出して下面板３とともに乾電池Ｂの外皮の上下端面を支持するように設定されている。すなわち、下面板３の高さに下フラップ４１の高さを加えた長さが乾電池Ｂの直径にほぼ相当するように設定され、また、下面板３と前面板４との折り目ｂから上方開口部４ｂの下端縁までの高さが乾電池Ｂの外皮の高さに設定されている。
なお、前面板４には、下方開口部４ａの下端縁に沿って折り目ｂと平行な折り目ｈが形成され、また、上方開口部４ｂの上端縁に沿って折り目ｂと平行な折り目ｉが形成されている。さらに、上フラップ４２には、上方開口部４ｂの下端縁に沿って折り目ｂと平行な折り目ｊが形成されている。ただし、折り目ｂは、下フラップ４１を除いて形成されている。
一方、背面板６の下部には、背面板６の左右方向中心線に関して左右対称な略弦月状の開口部６ａが糊代７との折り目ｅを始点として上方に向けて形成されている。そして、各開口部６ａの左右方向中心線は、前述した前面板４の各下方開口部４ａおよび各上方開口部４ｂの左右方向中心線の延長線上に位置している。
ここで、開口部６ａの高さは、乾電池Ｂの直径よりも若干大きく設定され、また、各開口部６ａの左右端縁間の間隔は、２本の乾電池Ｂの直径の和に設定されている。
なお、背面板６には、略弦月状の開口部６ａが形成されることで残されたフラップ６１を除いて開口部６ａの上端縁に沿って上面板５との折り目ｄと平行な折り目ｋが形成されている。
次に、このように構成された包装体１の組立手順について説明する。
まず、補強板８の表面に接着剤を塗布した後、補強板８を折り目ｆに沿って谷折りし、吊下板２の表面に貼着する。また、糊代７の表面に接着剤を塗布した後、糊代７を折り目ｅに沿って山折りするとともに、背面板６を折り目ｄに沿って、また、上面板５を折り目ｃに沿ってそれぞれ山折りし、糊代７の下端縁を前面板４の折り目ｈに沿わせて糊代７を前面板４の上下開口部４ｂ，４ａ間に貼着する。この状態では、第３図に示すように、背面板６が折り目ｋに沿って折曲され、フラップ６１が開口部６ａの上方に庇状に延設されるとともに、前面板４の下半部、背面板６および上面板５によって包囲された方体状の空間が形成される。
次いで、背面板６の各開口部６ａを通してそれぞれ２本の乾電池Ｂを陽極端子側から挿入すれば、乾電池Ｂの外皮の円筒面の上面側と下面側が前面板４およびフラップ６１を含む背面板６によって挾持される。この際、乾電池Ｂの外皮の上端面が前面板４の上フラップ４２を押し込み、上フラップ４２を折り目ｊに沿って山折りするとともに、前面板４の下半部は、折り目ｉに沿って谷折りされ、作業面に対して折り目ｉから折り目ｃにかけて作業面から徐々に離れるように上り勾配に傾斜する。
背面板６の各開口部６ａを通してそれぞれ２本ずつ乾電池Ｂを挿入したならば、背面板６の裏面に接着剤を塗布した後、下面板３を折り目ｂに沿って谷折りするとともに、吊下板２を折り目ａに沿って谷折りし、吊下板２の切裂用ミシン目ｇ１を背面板６の折り目ｋに沿わせて吊下板２の表面下部を背面板６に貼着する。この際、前面板４は、折り目ｈ，ｉ間を底面として折り目ｈから折り目ｂにかけて作業面から徐々に離れるように上り勾配に傾斜する（第４図参照）。
この結果、第１図および第４図に示すように、吊下板２、下面板３、前面板４、上面板５によって乾電池Ｂが包囲された包装体１を形成することができる。すなわち、乾電池Ｂは、背面板６の開口部６ａに挿入されて保持されるとともに、外皮の円筒面の前後が背面板６を貼着した吊下板２および糊代７を貼着した前面板４によって挾持され、外皮の上下端面が下フラップ４１を含む下面板３および上フラップ４２を含む上方開口部４ｂの下端縁によって支持され、また、外皮の円筒面の左右が前面板４の上下開口部４ａ，４ｂの左右端縁によって支持されることにより、包装体１からの抜け出しが確実に防止されて包装される。また、乾電池Ｂは、外皮の円筒面の一部が上下開口部４ａ，４ｂを通して露出されることから、乾電池Ｂの種類を確認することができる。
このように組み立てられた包装体１は、ハンガー用穴２ａ、８ａを通してハンガーＨに挿通されることにより、陳列される。
一方、乾電池Ｂを購入した消費者は、吊下板２に形成された切裂用ミシン目ｇ１，ｇ２間の端縁部を把握して引き上げれば、これらの切裂用ミシン目ｇ１，ｇ２に沿って切り裂かれ、吊下板２を上下に分割する一定幅の開口を形成することができる。そして、吊下板２の、切裂用ミシンｇ２よりも下部を把握して展開すれば、背面板６の開口部６ａに挿入された乾電池Ｂの下半部が露出することから、乾電池Ｂを引き出すことができる。
この場合、乾電池Ｂが取り出された包装体１は、全て台紙で形成されていることから、分別収集が容易になるとともに、再生紙に利用することができる。仮に焼却するとしても、プラスチックのように焼却炉を傷めることがない他、環境汚染を引き起こすこともない。
なお、本実施形態においては、２本を１組とする単３形乾電池Ｂを２組計４本を包装する包装体１について説明したが、２本１組の乾電池Ｂ、あるいは２本を１組とする乾電池Ｂを３組計６本を包装する包装体１であってもよく、本数を限定するものではない。
また、本実施形態においては、ハンガーＨに吊り下げて陳列する場合を想定し、ハンガー用穴８ａを形成した補強板８を、ハンガー用穴２ａを形成した吊下板２に貼着して例示したが、ハンガーＨに懸吊して陳列しない場合は、ハンガー用穴２ａを形成する必要はなく、また、補強板８を設ける必要もない。
さらに、背面板６の開口部６ａおよび前面板４の上下開口部４ａ，４ｂを形成する際、それぞれフラップ６１および上下フラップ４２，４１を残すように形成する場合を説明したが、必ずしもフラップを設ける必要はない。
次に、本発明の包装体１の他の実施形態について説明する。
第５図には、本発明の包装体１の他の実施形態が示されている。
この包装体１も、台紙を第６図に示す展開図にしたがって打ち抜いた後、折り目に沿って折り込むとともに、２本ずつ計４本の乾電池Ｂをその長手方向を上下方向に向けて左右に並べ、所定部分を貼着することでその周囲を包装するものであり、乾電池Ｂの円筒面の一部を露出させて中身を確認できるようにハンガーＨに吊り下げられて陳列される。
なお、第１図乃至第４図に示した実施形態の部材と同一の部材については、同一の符号を用いるものとする。
この包装体１は、第６図に示す展開図において、上端部近傍にハンガー用穴２ａが形成された前吊下板２Ａの下端縁に、上面板５、前面板４、下面板３および下背面板６Ａが順に折り目ｄ１，ｃ，ｂ，ａを介して連設されるとともに、前吊下板２Ａの上端縁に、上背面板６Ｂを連続して有する後吊下板２Ｂおよび糊代７が折り目ｆ，ｅを介して連設されて形成されている。
ここで、後吊下板２Ｂと上背面板６Ｂとの境界には、凹部ｍが形成されている他、後吊下板２Ｂの下端部近傍には、折り目ｆに関して前吊下板２Ａのハンガー用穴２ａと上下対称形のハンガー用穴２ｂが形成されている。
前面板４の上半部および下部には、前面板４の左右方向中心線に関して左右対称な上方開口部４ｂおよび下方開口部４ａがそれぞれ形成されている。これらの各上方開口部４ｂおよび各下方開口部４ａは、略同幅であり、かつ、その左右方向中心線は、同一線上に位置している。そして、前面板４の各上方開口部４ｂは、上面板５との折り目ｃの近傍を始点として下方に向けて前面板４の高さの略１／２の高さを有するように形成され、各下方開口部４ａは、下面板３との折り目ｂを始点として上方に向けて前面板４の高さの略１／４の高さを有するように形成されている。
ここで、各上方開口部４ｂおよび各下方開口部４ａの左右端縁間の間隔は、２本の乾電池Ｂの直径の和よりも若干小さく設定されている。
また、前面板４の上方開口部４ｂは、その上端縁に連続する略三日月状の上フラップ４２を有するように形成され、下方開口部４ａは、下面板３に連続する略三日月状の下フラップ４１を有するように形成されている。これらの上下対向する上フラップ４２および下フラップ４１は、包装体１の組立時、それぞれ前面板４および下面板３から庇状に突出して下面板３とともに乾電池Ｂの外皮の上下端面を支持するように設定されている。すなわち、下面板３の高さに下フラップ４１の高さを加えた長さが乾電池Ｂの直径にほぼ相当するように設定され、また、下面板３と前面板４との折り目ｂから上方開口部４ｂの上端縁までの高さが乾電池Ｂの外皮の高さに設定されている。
なお、前面板４には、上方開口部４ｂの下端縁に沿って折り目ｂと平行な折り目ｉが形成され、また、下方開口部４ａの上端縁に沿って折り目ｂと平行な折り目ｈが形成されている。さらに、上フラップ４２には、上方開口部４ｂの上端縁に沿って折り目ｂと平行な折り目ｊが形成されている。ただし、折り目ｂは、下フラップ４１を除いて形成されている。
下背面板６Ａの略中間部には、設定間隔をおいて一対の切裂用ミシン目ｇ２，ｇ１が下面板３との折り目ａと平行に形成されており、後述するように、包装体１を組み立てた後、これら一対の切裂用ミシン目ｇ２，ｇ１に沿って沿って切り裂くことにより、下背面板６Ａを上下に分離して包装体１から乾電池Ｂを取り出すことができる。また、下背面板６Ａの下端縁左右両端部には、係止片６ｘが下方に突出して形成されている。
一方、後吊下板２Ｂの凹部ｍより延長された上背面板６Ｂの上部には、該上背面板６Ｂの左右方向中心線に関して左右対称な略弦月状の開口部６ａが糊代７との折り目ｅを始点として下方に向けて形成されている。そして、各開口部６ａの左右方向中心線は、前述した前面板４の各下方開口部４ａおよび各上方開口部４ｂの左右方向中心線の延長線上に位置している。
ここで、上背面板６Ｂの開口部６ａの高さは、乾電池Ｂの直径よりも若干大きく設定され、また、各開口部６ａの左右端縁間の間隔は、２本の乾電池Ｂの直径の和に設定されている。
また、上背面板６Ｂの、凹部ｍ近傍の左右端縁には、切欠部６ｙが形成されており、後述するように、包装体１を組み立てた際、上背面板６Ｂの切欠部６ｙに前述の下背面板６Ａの係止片６ｘを係止できるように設定されている。
なお、上背面板６Ｂには、略弦月状の開口部６ａが形成されることで残されたフラップ６１を除いて開口部６ａの下端縁に沿って糊代７との折り目ｅと平行な折り目ｋが形成されている。
次に、このように構成された包装体１の組立手順について説明する。
まず、糊代７の表面および前吊下板２Ａの表面に接着剤を塗布した後、糊代７を折り目ｅに沿って山折りするとともに、上面板５を折り目ｄ１に沿って山折りし、また、前面板４を折り目ｃに沿って谷折りし、さらに、後吊下板２Ｂを折り目ｆに沿って谷折りし、糊代７の上端縁を前面板４の折り目ｈに沿わせて糊代７を前面板４の上下開口部４ｂ，４ａ間に貼着するとともに、後吊下板２Ｂを前吊下板２Ａの表面に貼着する。この後、下背面板６Ａを把握して、貼着された前後吊下板２Ａ，２Ｂを押し下げれば、第７図に示すように、上背面板６Ｂが折り目ｋに沿って折曲され、フラップ６１が開口部６ａの上方に庇状に延設されるとともに、上面板５が折り目ｄ１，ｃに沿って折曲されて立ち上がり、前面板４の上半部、上背面板６Ｂおよび上面板５によって包囲された方体状の空間が形成される。
次いで、上背面板６Ｂの各開口部６ａを通してそれぞれ２本の乾電池Ｂを陽極端子側から挿入すれば、乾電池Ｂの外皮の円筒面の上面側と下面側が前面板４およびフラップ６１を含む上背面板６Ｂによって挾持される。この際、乾電池Ｂの外皮の上端面が前面板４の上フラップ４２を押し込み、上フラップ４２を折り目ｊに沿って山折りするとともに、前面板４の上半部は、折り目ｉに沿って谷折りされ、作業面に対して折り目ｉから折り目ｃにかけて作業面から徐々に離れるように上り勾配に傾斜する。
背面板６の各開口部６ａを通してそれぞれ２本ずつ乾電池Ｂを挿入したならば、上背面板６Ｂの裏面の折り目ｋ近傍に接着剤を塗布した後、下面板３を折り目ｂに沿って谷折りするとともに、下背面板６Ａを折り目ａに沿って谷折りし、下背面板６Ａの係止片６ｘを上背面板６Ｂの切欠部６ｙに係止させ、合わせて下背面板６Ａの表面下部を下背面板６Ｂに貼着する。この際、下吊下板６Ａの切裂用ミシン目ｇ１は、上背面板６Ｂの折り目ｋに沿うように位置決めされる。また、前面板４は、折り目ｈ，ｉ間を底面として折り目ｈから折り目ｂにかけて作業面から徐々に離れるように上り勾配に傾斜する。
この結果、第５図に示すように、上下背面板６Ｂ，６Ａ、下面板３、前面板４、上面板５によって乾電池Ｂが包囲された包装体１を形成することができる。すなわち、乾電池Ｂは、上背面板６Ｂの開口部６ａに挿入されて保持されるとともに、外皮の円筒面の前後が上下背面板６Ｂ，６Ａおよび糊代７を貼着した前面板４によって挾持され、外皮の上下端面が下フラップ４１を含む下面板３および上フラップ４２を含む上方開口部４ｂの上端縁によって支持され、また、外皮の円筒面の左右が前面板４の上下開口部４ａ，４ｂの左右端縁によって支持されることにより、包装体１からの抜け出しが確実に防止されて包装される。また、乾電池Ｂは、外皮の円筒面の一部が上下の開口部４ａ，４ｂを通して露出されることから、乾電池Ｂの種類を確認することができる。しかも、包装体１を人手を介して組み立てる場合、下背面板６Ａの係止片６ｘを上背面板６Ｂの切欠部６ｙに係止させることにより、上背面板６Ａに対して下背面板６Ａを容易に位置決めして両者を貼着することができる。
このように組み立てられた包装体１は、ハンガー用穴２ａ，２ｂを通してハンガーＨに挿通されることにより、陳列される。
一方、乾電池Ｂを購入した消費者は、下背面板６Ａに形成された切裂用ミシン目ｇ１，ｇ２間の端縁部を把握して引き上げれば、これらの切裂用ミシン目ｇ１，ｇ２に沿って切り裂かれ、下背面板６Ａを上下に分割する一定幅の開口を形成することができる。そして、下背面板６Ａの、切裂用ミシンｇ２よりも下部を把握して展開すれば、上背面板６Ｂの開口部６ａに挿入された乾電池Ｂの下半部が露出することから、乾電池Ｂを引き出すことができる。
この場合、乾電池Ｂが取り出された包装体１は、全て台紙で形成されていることから、分別収集が容易になるとともに、再生紙に利用することができる。仮に焼却するとしても、プラスチックのように焼却炉を傷めることがない他、環境汚染を引き起こすこともない。
なお、本実施形態においては、２本を１組とする単３形乾電池Ｂを２組計４本を包装する包装体１について説明したが、２本１組の乾電池Ｂ、あるいは２本を１組とする乾電池Ｂを３組計６本を包装する包装体１であってもよく、本数を限定するものではない。
また、ハンガーＨに吊り下げて陳列する場合を想定し、ハンガー用穴２ｂを形成した後吊下板２Ｂを、ハンガー用穴２ａを形成した前吊下板２Ａに貼着して例示したが、ハンガーＨに懸吊して陳列しない場合は、前吊下板２Ａのハンガー用穴２ａおよび後吊下板２Ｂのハンガー用穴２ｂを形成する必要はない。
さらに、上背面板６Ｂの開口部６ａおよび前面板４の上下開口部４ｂ，４ａを形成する際、それぞれフラップ６１および上下フラップ４２，４１を残すように形成する場合を説明したが、必ずしもフラップを設ける必要はない。
産業上の利用可能性
以上のように、本発明にかかる包装体は、乾電池などの円筒状商品を陳列された状態で認識でき、かつ、確実に保持できるとともに、不要になった包装体は処分する際、分別収集しやすく、また、再利用による資源活用に有用である。例えば、この包装体を１枚の台紙で形成した場合、再生紙に利用することができる。この場合、たとえ焼却するとしても、プラスチックのように焼却炉を傷めることがない上、環境汚染を引き起こすこともない点で有用である。
【図面の簡単な説明】
第１図は本発明の包装体の実施形態の陳列状態を示す斜視図である。
第２図は本発明の包装体の実施形態の展開図である。
第３図は本発明の包装体の実施形態の組立工程を示す斜視図である。
第４図は本発明の包装体の実施形態の組立工程を示す斜視図である。
第５図は本発明の包装体の他の実施形態を示す斜視図である。
第６図は本発明の包装体の他の実施形態の展開図である。
第７図は本発明の包装体の他の実施形態の組立工程を示す斜視図である。
第８図は従来のブリスターパックタイプの包装体を示す斜視図である。
第９図は従来のシュリンクパックタイプの包装体を示す斜視図である。
【図１】
0003867045.tif 000002
【図２】
0003867045.tif 000003
【図３】
0003867045.tif 000004
【図４】
0003867045.tif 000005
【図５】
0003867045.tif 000006
【図６】
0003867045.tif 000007
【図７】
0003867045.tif 000008
【図８】
0003867045.tif 000009
【図９】
0003867045.tif 000010